【事件の表示】
　特願２０１４−５０２００１「画像符号化方法、画像復号方法、画像符号化装置、画像復号装置および画像符号化復号装置」拒絶査定不服審判事件〔平成２５年　９月　６日国際公開、ＷＯ２０１３／１２８８３２〕について、次のとおり審決する。
【結　論】
　本件審判の請求は、成り立たない。
【理　由】
第１　手続の経緯
　本願は、平成２５年２月１５日（パリ条約による優先権主張　２０１２年３月２日、米国）を国際出願日とするものであって、その手続の経緯は以下のとおりである。
平成２８年　１月２２日　　：手続補正
平成２９年　３月　８日付け：拒絶理由通知
平成２９年　６月２２日　　：意見書提出および手続補正
平成２９年１２月２０日付　：最後の拒絶理由通知
平成３０年　６月２６日　　：意見書提出および手続補正
平成３０年１１月２９日付け：補正の却下の決定および拒絶査定
平成３１年　３月２９日　　：拒絶査定不服審判請求および手続補正
令和　１年　６月１８日　　：前置報告
令和　２年　６月１９日付け：当審において最後の拒絶理由通知
令和　２年　９月２３日　　：意見書提出および手続補正
令和　２年１１月１７日付け：当審において最後の拒絶理由通知
令和　３年　２月２２日　　：意見書提出および手続補正
第２　令和３年２月２２日付けの手続補正についての補正の却下の決定
［補正の却下の決定の結論］
令和３年２月２２日付けの手続補正を却下する。
［理由］
１　本件補正の内容
　令和３年２月２２日付け手続補正（以下、「本件補正」という。）は、令和２年９月２３日付け手続補正により補正された特許請求の範囲の請求項１ないし９を、本件補正による特許請求の範囲の請求項１ないし９に補正するものであり、本件補正は、補正前の請求項４を補正後の請求項４とする補正事項を含むものである（下線は補正箇所を示す。）。
（補正前の請求項４）
【請求項４】
　現ピクチャをブロック毎に復号する画像復号方法であって、
　前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、
　前記現ピクチャに含まれる現ブロックの復号において参照される参照ピクチャを前記参照ピクチャリストから特定し、特定された前記参照ピクチャを参照して、前記現ブロックを復号する復号ステップとを含み、
　前記生成ステップでは、
　前記現ピクチャが属する現レイヤとは異なる参照レイヤに属する参照ピクチャが前記現ピクチャの復号において参照される可能性がある場合、（１）前記現レイヤに属する参照ピクチャと、（２）前記参照レイヤに属する参照ピクチャとを前記参照ピクチャリストに追加し、
　前記参照ピクチャリストにおける前記参照ピクチャインデックスそれぞれの修正後のインデックスを示す修正リストを用いて、前記参照ピクチャインデックスを修正し、
　前記修正リストに含まれる前記修正後のインデックスは、前記現ピクチャの復号において参照可能な参照ピクチャの数であって、前記現レイヤに属する参照ピクチャの数と前記参照レイヤに属する参照ピクチャの数の和より１少ない値以下の値である、
　画像復号方法。
（補正後の請求項４）
現ピクチャをブロック毎に復号する画像復号方法であって、
　前記現ピクチャの復号において参照可能な参照ピクチャに参照ピクチャインデックスを割り当てて、前記参照ピクチャインデックスが割り当てられた前記参照ピクチャを含む
第１
第１
　前記第１参照ピクチャリストにおける前記参照ピクチャインデックスそれぞれの修正後のインデックスを示す修正リストを用いて前記第１参照ピクチャリストを修正した、第２参照ピクチャリストを生成する第２生成ステップと、
　前記現ピクチャに含まれる現ブロックの復号において参照される参照ピクチャを前記
第２
　前
　前記第１生成ステップでは、
第１
　
前記参照レイヤに属する参照ピクチャが参照される可能性がある場合の前記修正リストで修正する参照ピクチャインデックスの個数は、前記参照レイヤに属する参照ピクチャが参照される可能性がない場合の前記修正リストで修正する参照ピクチャインデックスの個数と等しく、
　前記修正リストに含まれる前記修正後のインデックスは、前記現ピクチャの復号において参照可能な参照ピクチャの数であって、前記現レイヤに属する参照ピクチャの数と前記参照レイヤに属する参照ピクチャの数の和より１少ない値以下の値である、
　画像復号方法。
２　補正の適合性
（１）補正の内容について
　請求項４に係る補正は、
（ア）「参照ピクチャインデックスが割り当てられた」「参照ピクチャを含む」「参照ピクチャリストを生成」する「生成ステップ」について、生成される「参照ピクチャリスト」を「第１参照ピクチャリスト」とし、「生成ステップ」を「第１生成ステップ」とする補正、
（イ）「前記参照ピクチャリストにおける前記参照ピクチャインデックスそれぞれの修正後のインデックスを示す修正リストを用いて、前記参照ピクチャインデックスを修正し、」を「前記第１参照ピクチャリストにおける前記参照ピクチャインデックスそれぞれの修正後のインデックスを示す修正リストを用いて第１参照ピクチャを修正した、第２参照ピクチャリストを生成する処理を第２生成ステップ」とする補正、
（ウ）「参照ピクチャを参照して」「現ブロックを符号化する」にあたり、「現ピクチャに含まれる現ブロックの符号化において参照される参照ピクチャ」を特定する「参照ピクチャリスト」を、「前記第２参照ピクチャリスト」とする補正、
（エ）（ア）の補正に伴い、「前記生成ステップでは」、「（１）前記現レイヤに属する参照ピクチャと、（２）前記参照レイヤに属する参照ピクチャとを前記第１参照ピクチャリストに追加」するものにおいて、「生成ステップ」を「第１の生成ステップ」とし、「参照ピクチャリスト」を「第１参照ピクチャリスト」とする補正、
（オ）（イ）の「参照ピクチャインデックスそれぞれの修正後のインデックスを示す修正リストを用いて前記（第１）参照ピクチャリストを修正」することに関して、「参照レイヤに属する参照ピクチャ」が参照される可能性の有無に応じた、修正リストを用いて修正される参照ピクチャインデックスの個数を特定するために、「前記参照レイヤに属する参照ピクチャが参照される可能性がある場合の前記修正リストで修正する参照ピクチャインデックスの個数は、前記参照レイヤに属する参照ピクチャが参照される可能性がない場合の前記修正リストで修正する参照ピクチャインデックスの個数と等しく」という記載を追加する補正、
である。
（２）補正の範囲について
（２−１）　本願の願書に最初に添付した明細書、特許請求の範囲、及び図面（以下、明細書等という）には、以下の記載がある。（下線は、強調のため当審で付したものである。）
（ア）「【００６５】
　図７は、図３のＳ１０１の詳細な処理フローであり、
別のビューのピクチャが参照されない場合の参照ピクチャリストの算出方法を表す。
・・・
　【００７１】
　図８は、図７のＳ３０５の詳細な処理フローであり、第１予測方向の参照ピクチャリストＲｅｆＰｉｃＬｉｓｔ０を算出する方法を表す。以下、図８について説明する。
　【００７２】
　まず、
参照ピクチャリスト算出部１１５は、
参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ０に追加
次に、
参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ０に追加する（Ｓ４０２）。
　【００７３】
　
次に、
参照ピクチャを、算出されたＮｕｍＰｏｃＬｔＣｕｒｒ枚分、参照ピクチャリストＲｅｆＰｉｃＬｉｓｔＴｅｍｐ０に追加する（Ｓ４０３）。
　【００７４】
　
次に、
参照ピクチャリストＲｅｆＰｉｃＬｉｓｔＴｅｍｐ０を用いて、参照ピクチャリストＲｅｆＰｉｃＬｉｓｔ０を算出する。算出される参照ピクチャリストＲｅｆＰｉｃＬｉｓｔ０の参照ピクチャの枚数は、符号化対象ピクチャ
から第１予測方向において参照可能な参照ピクチャの枚数（ｎｕｍ＿ｒｅｆ＿ｌ０＿ａｃｔｉｖｅ＿ｍｉｎｕｓ１＋１）に等しい。
　【００７５】
　参照ピクチャリスト算出部１１５は、参照ピクチャリストＲｅｆＰｉｃＬｉｓｔ０をフラグの値に応じて算出する。具体的には、
参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定する（Ｓ４０４）
　【００７６】
　そして、
真ならば（Ｓ４０４でＹｅｓ）、
参照ピクチャリストＲｅｆＰｉｃＬｉｓｔＴｅｍｐ０と、ｌｉｓｔ＿ｅｎｔｒｙ＿ｌ０［ｃＩｄｘ］（ｃＩｄｘは０からｎｕｍ＿ｒｅｆ＿ｌ０＿ａｃｔｉｖｅ＿ｍｉｎｕｓ１）の値とに応じて、参照ピクチャリストＲｅｆＰｉｃＬｉｓｔ０を算出する（Ｓ４０５）。
　【００７７】
　
具体的には、
ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出する。
　【００７８】
　ここで、
ｌｉｓｔ＿ｅｎｔｒｙ＿ｌ０［ｃＩｄｘ］は、第１予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ０［ｃＩｄｘ］番目の参照ピクチャインデックスに割り当てるために用いら
【００７９】
　なお、ｌｉｓｔ＿ｅｎｔｒｙ＿ｌ０［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
　【００８０】
　
偽の場合（Ｓ４０４でＮｏ）、
参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出する。
（イ）「【０１１１】
　図１３は、図３のＳ１０１の詳細な処理フローであり、
符号化対象ピクチャから別のビューのピクチャが参照される可能性がある場合の参照ピクチャリストの算出方法を表す。
・・・
【０１２１】
　図１４は、図１３のＳ６０７の詳細な処理フローであり、第１予測方向の参照ピクチャリストＲｅｆＰｉｃＬｉｓｔ０を算出する方法を表す。以下、図１４について説明する。
　【０１２２】
　まず、
参照ピクチャリスト算出部１１５は
参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ０に追加する（Ｓ７０１）。次に、
参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ０に追加する（Ｓ７０２）。
　【０１２３】
　
次に、
参照ピクチャを、算出されたＮｕｍＰｏｃＬｔＣｕｒｒ枚分、参照ピクチャリストＲｅｆＰｉｃＬｉｓｔＴｅｍｐ０に追加する（Ｓ７０３）。
　【０１２４】
　
次に、参照ピクチャリスト算出部１１５は、符号化対象ピクチャがノンベースビューに含まれるか否かを判定する（Ｓ７０４）。
　【０１２５】
　本実施の形態の例では、ＶＯＩｄｘが用いられる。ＶＯＩｄｘが０である場合、参照ピクチャリスト算出部１１５は、符号化対象ピクチャがベースビューに含まれると判定する。一方、ＶＯＩｄｘが０でない場合、参照ピクチャリスト算出部１１５は、符号化対象ピクチャがノンベースビューに含まれると判定する。
　【０１２６】
　
判定結果が真である場合（Ｓ７０４でＹｅｓ）、
符号化対象ピクチャからビュー間予測を用いて参照可能な参照ピクチャを、ｎｕｍ＿ｉｎｔｅｒ−ｖｉｅｗ＿ｒｅｆｅｒｅｎｃｅ［ＶＯＩｄｘ］枚分、参照ピクチャリストＲｅｆＰｉｃＬｉｓｔＴｅｍｐ０に追加する。
　【０１２７】
　
次に、参照ピクチャリスト算出部１１５は、Ｓ７０１からＳ７０５で得られた参照ピクチャリストＲｅｆＰｉｃＬｉｓｔＴｅｍｐ０を用いて、参照ピクチャリストＲｅｆＰｉｃＬｉｓｔ０を算出する。算出される参照ピクチャリストＲｅｆＰｉｃＬｉｓｔ０の参照ピクチャの枚数は、符号化対象ピクチャ（または、スライス）から第１予測方向において参照可能な参照ピクチャの枚数（ｎｕｍ＿ｒｅｆ＿ｌ０＿ａｃｔｉｖｅ＿ｍｉｎｕｓ１＋１）に等しい。
　【０１２８】
　参照ピクチャリスト算出部１１５は、参照ピクチャリストＲｅｆＰｉｃＬｉｓｔ０をフラグの値に応じて算出する。具体的には、
参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定する（Ｓ７０６）。
　【０１２９】
　
そして、真ならば（Ｓ７０６でＹｅｓ）、
参照ピクチャリストＲｅｆＰｉｃＬｉｓｔＴｅｍｐ０と、ｌｉｓｔ＿ｅｎｔｒｙ＿ｌ０［ｃＩｄｘ］（ｃＩｄｘは０からｎｕｍ＿ｒｅｆ＿ｌ０＿ａｃｔｉｖｅ＿ｍｉｎｕｓ１）の値とに応じて、参照ピクチャリストＲｅｆＰｉｃＬｉｓｔ０を算出する（Ｓ７０７）。
　【０１３０】
　具体的には、
参照ピクチャリスト算出部１１５は、ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出する。
　【０１３１】
　
ここで、ｌｉｓｔ＿ｅｎｔｒｙ＿ｌ０［ｃＩｄｘ］は、第１予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ０［ｃＩｄｘ］番目の参照ピクチャインデックスに割り当てるために用いられ、
　【０１３２】
　なお、ｌｉｓｔ＿ｅｎｔｒｙ＿ｌ０［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
　【０１３３】
　
偽の場合（Ｓ７０６でＮｏ）、
参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出する。
（ウ）「【０１６６】
　
なお、本実施の形態では、符号化対象ピクチャから別のビューのピクチャが参照される場合、例えば、ノンベースビューに含まれるピクチャが符号化される場合が例として示されている。しかし、適用範囲はこれには限られない。例えば、符号化対象ピクチャから別のレイヤのピクチャが参照される場合に、本実施の形態で示された方法が適用されてもよい。
【０１６７】
　
例えば、本実施の形態で示された方法が、ＳＶＣ（Ｓｃａｌａｂｌｅ Ｖｉｄｅｏ Ｃｏｄｉｎｇ）等に適用されてもよい。この場合、
インター予測で参照可能な枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。さらに、ＮｕｍＰｏｃＴｏｔａｌＣｕｒｒに別のレイヤに含まれる参照可能な参照ピクチャの枚数が加算されてもよい。
（２−２）　上記の明細書等の記載によれば、参照ピクチャインデックスの個数について、以下のことが言える。
（ア）まず、（２−１）（ア）の【００７８】の記載から、ｌｉｓｔ＿ｅｎｔｒｙ＿ｌ０［ｃＩｄｘ］は、第１予測方向の参照ピクチャリストを修正するために用いられるパラメータ（修正リスト）であり、ｃＩｄｘ番目の参照ピクチャインデックスを、ｌｉｓｔ＿ｅｎｔｒｙ＿ｌ０［ｃＩｄｘ］番目の参照インデックスに割り当てるために用いられることがいえる。
　ここで、【００７６】の記載から、ｃＩｄｘは０からｎｕｍ＿ｒｅｆ＿ｌ０＿ａｃｔｉｖｅ＿ｍｉｎｕｓ１の値をとることがいえる。
（イ）次に、【００７４】の記載から、ｎｕｍ＿ｒｅｆ＿ｌ０＿ａｃｔｉｖｅ＿ｍｉｎｕｓ１は、参照ピクチャリストＲｅｆＰｉｃＬｉｓｔ０の参照ピクチャの枚数、すなわち符号化対象ピクチャから第１予測方向において参照可能な参照ピクチャの枚数、から１を引いた数に等しいといえる。
　ここで、【００７２】〜【００７３】を踏まえると、参照ピクチャリストＲｅｆＰｉｃＬｉｓｔＴｅｍｐ０の参照ピクチャの枚数は、ＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒの和に等しいことがいえる。
（ウ）さらに、【００７４】の記載から、参照ピクチャリストＲｅｆＰｉｃＬｉｓｔＴｅｍｐ０を用いて、参照ピクチャリストＲｅｆＰｉｃＬｉｓｔ０を算出することがいえる。
　ここで、【００７５】の記載から、参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定すること（Ｓ４０４）、【００７６】、【００７７】の記載から、真ならば（Ｓ４０４でＹｅｓ）、ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出することがいえる。
　また、【００８０】の記載から、偽の場合（Ｓ４０４でＮｏ）、参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出することがいえる。
（エ）そうすると、Ｓ４０４の判定結果が真であるか偽であるかによらず、参照ピクチャリストＲｅｆＰｉｃＬｉｓｔＴｅｍｐ０と参照ピクチャリストＲｅｆＰｉｃＬｉｓｔ０の各要素は一対一に対応しているといえる。
（オ）（ウ）（エ）から、ＲｅｆＰｉｃＬｉｓｔＴｅｍｐ０の参照ピクチャの枚数とＲｅｆＰｉｃＬｉｓｔ０の参照ピクチャの枚数は等しいことがいえる。
　そうすると、（イ）と合わせると、ＲｅｆＰｉｃＬｉｓｔ０の参照ピクチャの枚数はＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒの和に等しいことがいえる。
（カ）以上のことから、【００６５】に記載される、別のビューのピクチャが参照されない場合の参照ピクチャリストについて、修正リストｌｉｓｔ＿ｅｎｔｒｙ＿ｌ０で修正する参照ピクチャインデックスｃＩｄｘは０からｎｕｍ＿ｒｅｆ＿ｌ０＿ａｃｔｉｖｅ＿ｍｉｎｕｓ１の値をとり、参照ピクチャインデックスの個数はｎｕｍ＿ｒｅｆ＿ｌ０＿ａｃｔｉｖｅ＿ｍｉｎｕｓ１＋１であって、ＲｅｆＰｉｃＬｉｓｔ０の参照ピクチャの枚数と等しく、かつ、ＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒの和に等しいことがいえる。
（キ）一方、（２−１）（イ）の【０１３１】の記載から、ｌｉｓｔ＿ｅｎｔｒｙ＿ｌ０［ｃＩｄｘ］は、第１予測方向の参照ピクチャリストを修正するために用いられるパラメータ（修正リスト）であり、ｃＩｄｘ番目の参照ピクチャインデックスを、ｌｉｓｔ＿ｅｎｔｒｙ＿ｌ０［ｃＩｄｘ］番目の参照インデックスに割り当てるために用いられることがいえる。
　ここで、【０１２９】の記載から、ｃＩｄｘは０からｎｕｍ＿ｒｅｆ＿ｌ０＿ａｃｔｉｖｅ＿ｍｉｎｕｓ１の値をとることがいえる。
（ク）次に、【０１２７】の記載から、ｎｕｍ＿ｒｅｆ＿ｌ０＿ａｃｔｉｖｅ＿ｍｉｎｕｓ１は、参照ピクチャリストＲｅｆＰｉｃＬｉｓｔ０の参照ピクチャの枚数、すなわち符号化対象ピクチャから第１予測方向において参照可能な参照ピクチャの枚数、から１を引いた数に等しいといえる。
　ここで、【０１２２】〜【０１２３】、【０１２４】〜【０１２７】を踏まえると、参照ピクチャリストＲｅｆＰｉｃＬｉｓｔＴｅｍｐ０の参照ピクチャの枚数は、ＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒの和に加えて、符号化対象ピクチャがノンベースビューに含まれる場合にはさらにビュー間予測を用いて参照可能な参照ピクチャの枚数ｎｕｍ＿ｉｎｔｅｒ−ｖｉｅｗ＿ｒｅｆｅｒｅｎｃｅ［ＶＯＩｄｘ］の和をとった値に等しいことがいえる。
（ケ）さらに、【０１２７】の記載から、参照ピクチャリストＲｅｆＰｉｃＬｉｓｔＴｅｍｐ０を用いて、参照ピクチャリストＲｅｆＰｉｃＬｉｓｔ０を算出することがいえる。
　ここで、【０１２８】の記載から、参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定すること（Ｓ７０６）、【０１２９】、【０１３０】の記載から、真ならば（Ｓ７０６でＹｅｓ）、ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出することがいえる。
　また、【０１３３】の記載から、偽の場合（Ｓ７０６でＮｏ）、参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出することがいえる。
（コ）そうすると、Ｓ７０６の判定結果が真であるか偽であるかによらず、参照ピクチャリストＲｅｆＰｉｃＬｉｓｔＴｅｍｐ０と参照ピクチャリストＲｅｆＰｉｃＬｉｓｔ０の各要素は一対一に対応しているといえる。
（サ）（ケ）（コ）から、ＲｅｆＰｉｃＬｉｓｔＴｅｍｐ０の参照ピクチャの枚数とＲｅｆＰｉｃＬｉｓｔ０の参照ピクチャの枚数は等しいことがいえる。
　そうすると、（ク）と合わせると、ＲｅｆＰｉｃＬｉｓｔ０の参照ピクチャの枚数はＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒとｎｕｍ＿ｉｎｔｅｒ−ｖｉｅｗ＿ｒｅｆｅｒｅｎｃｅ［ＶＯＩｄｘ］の和に等しいことがいえる。
（シ）以上のことから、【０１１１】に記載される、別のビューのピクチャが参照される可能性がある場合の参照ピクチャリストについて、修正リストｌｉｓｔ＿ｅｎｔｒｙ＿ｌ０で修正する参照ピクチャインデックスｃＩｄｘは０からｎｕｍ＿ｒｅｆ＿ｌ０＿ａｃｔｉｖｅ＿ｍｉｎｕｓ１の値をとり、参照ピクチャインデックスの個数はｎｕｍ＿ｒｅｆ＿ｌ０＿ａｃｔｉｖｅ＿ｍｉｎｕｓ１＋１であって、ＲｅｆＰｉｃＬｉｓｔ０の参照ピクチャの枚数と等しく、かつ、ＮｕｍＰｏｃＬｔＣｕｒｒとＮｕｍＰｏｃＳｔＣｕｒｒＢｅｆｏｒｅとＮｕｍＰｏｃＳｔＣｕｒｒＡｆｔｅｒとｎｕｍ＿ｉｎｔｅｒ−ｖｉｅｗ＿ｒｅｆｅｒｅｎｃｅ［ＶＯＩｄｘ］の和に等しいことがいえる。
（ス）さらに【０１６６】、【０１６７】の記載から、別のビューではなく別のレイヤに属する参照ピクチャが参照される可能性がある場合と、別のレイヤに属する参照ピクチャが参照される可能性がない場合についても、上記（カ）（シ）と同様の事項が成り立つことがいえる。
（２−３）当該補正が明細書等に記載した事項の範囲内かどうかについての判断
　（２−２）の（カ）、（シ）及び（ス）から、本件出願時の明細書には、別のレイヤすなわち参照レイヤのピクチャが参照される可能性がある場合の修正リストで修正する参照ピクチャインデックスの個数と、別のレイヤすなわち参照レイヤのピクチャが参照される可能性がない場合の修正リストで修正する参照ピクチャインデックスの個数は、同じ変数名ｎｕｍ＿ｒｅｆ＿ｌ０＿ａｃｔｉｖｅ＿ｍｉｎｕｓ１＋１であるが、参照レイヤのピクチャが参照される可能性がある場合の方が常にｎｕｍ＿ｉｎｔｅｒ−ｖｉｅｗ＿ｒｅｆｅｒｅｎｃｅ［ＶＯＩｄｘ］だけ大きくなることが記載されているといえる。
　一方、参照ピクチャインデックスの個数を示す変数ｎｕｍ＿ｒｅｆ＿ｌ０＿ａｃｔｉｖｅ＿ｍｉｎｕｓ１＋１について、参照レイヤが参照される可能性がある場合とない場合で等しくなることは記載されておらず、かつ明細書の記載事項から自明の事項であるということもできない。
　そうすると、請求項４に係る上記（１）（オ）の補正の内容は、本件出願時の明細書等に記載した事項の範囲内においてしたものではない。
（３）　小括
　以上のとおり、請求項４に係る補正は、本件出願時の明細書等に記載した事項の範囲内においてしたものではなく、特許法第１７条の２第３項の規定に反するものである。
　３　むすび
　以上のとおりであるから、本件補正は、特許法第１７条の２第３項に反するものであるから、同法第１５９条第１項において読み替えて準用する同法第５３条第１項の規定により却下すべきものである。
　よって、上記補正の却下の決定の結論のとおり決定する。
第３　本件発明について
１　本件発明
　令和３年２月２２日付けの手続補正は上記のとおり却下されたので、本願の請求項に係る発明は、令和２年９月２３日付けの手続補正により補正された特許請求の範囲の請求項１ないし９に記載された事項により特定されるものであり、そのうち、請求項４に係る発明（以下、「本件発明」という。）は、上記第２の１に示した（補正前の請求項４）に記載された事項により特定される以下のとおりのものである。（符号Ａ〜Ｃは合議体が付した。以下、構成Ａ〜Ｃ等という。）
「【請求項４】
Ａ　現ピクチャをブロック毎に復号する画像復号方法であって、
Ｂ　前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、
Ｃ　前記現ピクチャに含まれる現ブロックの復号において参照される参照ピクチャを前記参照ピクチャリストから特定し、特定された前記参照ピクチャを参照して、前記現ブロックを復号する復号ステップとを含み、
Ｂ　前記生成ステップでは、
Ｂ１　前記現ピクチャが属する現レイヤとは異なる参照レイヤに属する参照ピクチャが前記現ピクチャの復号において参照される可能性がある場合、（１）前記現レイヤに属する参照ピクチャと、（２）前記参照レイヤに属する参照ピクチャとを前記参照ピクチャリストに追加し、
Ｂ２　前記参照ピクチャリストにおける前記参照ピクチャインデックスそれぞれの修正後のインデックスを示す修正リストを用いて、前記参照ピクチャインデックスを修正し、
Ｂ３　前記修正リストに含まれる前記修正後のインデックスは、前記現ピクチャの復号において参照可能な参照ピクチャの数であって、前記現レイヤに属する参照ピクチャの数と前記参照レイヤに属する参照ピクチャの数の和より１少ない値以下の値である、
Ａ　画像復号方法。
２　当審の拒絶の理由
　当審の拒絶の理由である令和２年１１月１７日付け拒絶理由の内容は、概略、以下のとおりである。
（進歩性）この出願の請求項１−９に係る発明は、その出願前に日本国内又は外国において、頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　記
１．欧州特許出願公開２４２４２４０号明細書
２．Marek Domanski, et al., Multiview HEVC−experimental results, Joint Collaborative Team on Video Coding (JCT-VC) of ITU-T SG16 WP3 and ISO/IEC JTC1/SC29/WG11 7th Meeting:Geneva,CH,21-30 November,2011, Document:JCTVC-G582, ITU-T, 2011.11.18, p.1-6
３．Benjamin Bross et al., High efficiency video coding (HEVC) text specification draft 6, Joint Collaborative Team on Video Coding (JCT-VC) of ITU-T SG16 WP3 and ISO/IEC JTC1/SC29/WG11 8th Meeting: San Jose, CA, USA, 1-10 February 2012,Document:JCTVC-H1003(v20), ITU-T, 2012.02.17, p.37,76,79,92-97
　請求項１−９に係る発明は、引用文献１に記載された発明（引用発明１）および引用文献３記載事項に基づいて、または、引用文献２に記載された発明（引用発明２）および引用文献３記載事項に基づいて、当業者が容易に発明をすることができたものであるから、特許法第２９条第２項の規定により、特許を受けることができない。
３　検討
（１）引用文献及び引用発明
（１−１）　当審の拒絶の理由において引用された、欧州特許出願公開２４２４２４０号明細書（以下、引用文献１という）には以下の記載がある。（仮訳は当審で付した。なお、原文に明らかな誤りがある箇所について、仮訳において原文が誤記であることを示すと共に、誤りを訂正した訳を付した。）
（ア）「[0004] The present invention is to provide 
a method
for decoding a multiview video signal, by which the multiview video signal may be more efficiently decoded by checking inter-view dependency based on profile information indicating a multiview video stream.
（仮訳：
［０００４］本発明は、
多視点映像ストリームを示すプロファイル情報に基づいて、視点間の依存性をチェックすることにより、多視点映像信号をより効率的に復号することができる多視点映像信号の復号方法
（イ）「[0013] To achieve these and other advantages and in accordance with the purpose of the present invention, as embodied and broadly described, a method of changing a reference picture list according to the present invention may 
include the steps of parsing a profile identifier
from a multiview video bitstream, obtaining inter-view reference information based on the profile identifier, initializing a reference picture list using the inter-view reference information, and modifying the reference picture list
（仮訳：
［００１３］これらの利点および他の利点を達成するために、また、具体化して大まかに説明した本発明の目的に従って、本発明による参照ピクチャリストを変更する方法は、
多視点映像ビットストリームからプロファイル識別子
を解析するステップと、プロファイル識別子に基づいて視点間参照情報を取得するステップと、視点間参照情報を用いて参照ピクチャリストを初期化するステップと、
参照ピクチャリストを修正するステップとを含む
（ウ）「[0061] FIG. 11 is a schematic block diagram of 
an apparatus for decoding a multiview video signal
[0062] Referring to FIG. 1, 
the decoding apparatus may include an entropy decoding unit 100, a dequantizing unit 200, an inverse transform unit 300, an intra-prediction unit 400, a deblocking filter unit 500, a decoded picture buffer unit 600, an inter-prediction unit 700, and the like.
 the decoded picture buffer unit 600 may include a reference picture list initializing unit 610 and a reference picture list modifying unit 620.
[0063] 
The entropy decoding unit 200 performs entropy decoding on a parsed bitstream and a coefficient of each macroblock, a motion vector and the like are then extracted.
The dequantizing unit 200 obtains a coefficient value transformed by multiplying a received quantized value by a predetermined constant and the inverse transform unit 300 then transforms the coefficient value inversely to reconstruct a pixel value.
the deblocking filter unit
500 is applied to each coded macroblock to reduce block distortion. A filter
to enhance an image quality of a decoded frame.
Pictures through filtering are outputted or saved in the decoded picture buffer unit 600
（仮訳：
［００６１］図１１は、本発明による
多視点映像信号を復号する装置
［００６２］図１（訳注：図１１の誤記）を参照すると、
復号装置は、エントロピー復号ユニット１００、逆量子化ユニット２００、逆変換ユニット３００、イントラ予測ユニット４００、デブロッキングフィルタユニット５００、復号ピクチャバッファユニット６００、インター予測ユニット７００などを含
復号ピクチャバッファユニット６００は、参照ピクチャリスト初期化ユニット６１０と、参照ピクチャリスト修正ユニット６２０とを含ん
［００６３］
エントロピー復号ユニット２００
１００
は、解析されたビットストリームに対してエントロピー復号を行い、
各マクロブロックの係数や動きベクトル等を抽出
逆量子化ユニット２００は、受信した量子化値に所定の定数を乗じて変換した係数値を取得し、逆変換ユニット３００は、その係数値を逆変換して画素値を再構成
デブロッキングフィルタユニット５００は、ブロックの歪みを減らすために、各符号化マクロブロックに適用され
フィルタは、復号されたフレームの画質を向上させ
フィルタリング処理された画像は、復号ピクチャバッファユニット６００に出力または保存され
（エ）「[0064] FIG. 12 is a flowchart for creating a reference picture list according to an embodiment of the present invention.
[0065] The decoded picture buffer unit 600 plays a role in storing or opening the previously coded pictures to perform inter-picture prediction. In doing so, a picture may be identified using a frame number and POC (picture order count) of the picture. In MVC, since pictures in a view different from that of a current picture exists among the previously coded pictures, in order to use these pictures as reference pictures, view information for identifying a picture may be usable together with the frame number and the POC. Yet, a reference picture used for the inter-view prediction only may be identified using the view identification information and the POC. The decoded picture buffer unit 600 stores pictures that will be referred to for the coding of the current picture [S1210]. And, 
the decoded picture buffer unit 600 constructs a list of reference pictures that will be referred to for the interpicture prediction.
 Moreover, it may be able to construct a reference picture list for performing both temporal prediction and inter-view prediction.
（仮訳：
［００６４］図１２は、本発明の一実施形態による参照ピクチャリストを作成するためのフローチャートである。
［００６５］復号ピクチャバッファユニット６００は、画面間予測を実行するために、以前に符号化されたピクチャを格納または開く役割を果たす。その際、ピクチャのフレーム番号とＰＯＣ（Ｐｉｃｔｕｒｅ　Ｏｒｄｅｒ　Ｃｏｕｎｔ）を用いてピクチャを識別することができる。ＭＶＣでは、過去に符号化されたピクチャの中に、現在のピクチャとは異なるビューのピクチャが存在するため、これらのピクチャを参照ピクチャとして使用するために、ピクチャを識別するためのビュー情報を、フレーム番号とＰＯＣとともに使用することができる。ただし、視点間予測のみに用いる参照ピクチャは、ビュー識別情報とＰＯＣを用いて識別してもよい。復号化ピクチャバッファユニット６００は、カレントピクチャの符号化のために参照されるピクチャを格納する［Ｓ１２１０］。そして、
復号ピクチャバッファユニット６００は、画面間予測の際に参照される参照ピクチャリストを構築する
さらに、時間的予測と視点間予測の両方を行うための参照ピクチャリストを構築できるようにしてもよ
（オ）「[0077] First of all, it may be able to obtain inter-view prediction flag information for a picture of a base view. 
In case that the picture of the base view is used as an inter-view reference picture of a non-base view in accordance with the inter-view prediction flag information, a reference index for an inter-view prediction may be assigned to the picture of the base view and may be added to a reference picture list for a temporal prediction of the picture of the non-base view.
the picture of the base view may be added to the reference picture list for the temporal prediction
（仮訳：
［００７７］まず、ベースビューのピクチャの視点間予測フラグ情報を取得できるようにしてもよい。
視点間予測フラグ情報に従って、ベースビューのピクチャが非ベースビューの視点間参照ピクチャとして使用される場合、視点間予測のための参照インデックスがベースビューのピクチャに割り当てられ、非ベースビューのピクチャの時間的予測のための参照ピクチャリストに追加され
ベースビューのピクチャが、
時間的予測のための参照ピクチャリストに追加され
（カ）「[0079] FIG.13 is a diagram for a method of assigning a reference index to a picture in a base view, if the picture in the base view is coded into a field, according to an embodiment of the present invention.
・・・
[0082] 
The reference picture list modifying unit 620
assigning a
index to a picture
referred
a reference index for designating a reference picture
[0083] FIG. 14 is an internal block diagram of a reference picture list modifying unit 620 according to an embodiment of the present invention. FIG. 16 is an internal block diagram of a reference index changing unit 623B/625B according to an embodiment of the present invention.
[0084] Referring to FIG. 14, 
the reference picture list modifying unit 620 includes
a reference picture list-0 modifying unit 623 and a reference picture list-1 modifying unit 625.
The reference picture list-0 modifying unit 623 may include
 a reference index changing unit 623B.
The reference picture list-1 modifying unit 625 may include
a reference index changing unit 625B.
・・・
[0087] 
The reference index changing unit 623B/625B may be able to modify a reference picture list by changing a reference index of a reference picture using the reference picture modification information
（仮訳：
［００７９］図１３は、本発明の一実施形態による、ベースビューのピクチャがフィールドに符号化されている場合に、ベースビューのピクチャに参照インデックスを割り当てる方法を示す図である。
・・・
［００８２］
参照ピクチャリスト修正ユニット６２０は、
参照されるピクチャに、
インデックスを割り当てる
参照ピクチャを指定するための参照インデックス
［００８３］図１４は、本発明の一実施形態による参照ピクチャリスト修正ユニット６２０の内部ブロック図である。図１６は、本発明の実施形態による参照インデックス修正ユニット６２３Ｂ／６２５Ｂの内部ブロック図である。
［００８４］図１４を参照すると、
参照ピクチャリスト修正ユニット６２０は、
参照ピクチャリスト−０修正ユニット６２３と、参照ピクチャリスト−１修正ユニット６２５とを含
参照ピクチャリスト−０修正ユニット６２３は、
参照インデックス修正ユニット６２３Ｂを含
参照ピクチャリスト−１修正ユニット６２５は、
参照インデックス修正ユニット６２５Ｂを含
・・・
［００８７］
参照インデックス修正ユニット６２３Ｂ／６２５Ｂは、参照ピクチャ修正情報、
を用いて、参照ピクチャの参照インデックスを変更することで、参照ピクチャリストを修正できる
（キ）「[0099] 
The inter-prediction unit 700 may perform inter-picture prediction using a reference picture saved in the decoded picture buffer unit 600
compensates for a motion of a current block using informations transferred from the entropy decoding unit 100.
（仮訳：
［００９９］
インター予測ユニット７００は、復号ピクチャバッファユニット６００に保存されている参照ピクチャ
を用いて、画面間予測を行
エントロピー復号ユニット１００から転送された情報を用いて、現在のブロックの動きを補償する
　以上の記載から、引用文献１には、以下のとおりの発明（以下、「引用発明」という。）が記載されている。引用発明の構成を、符号ａ〜ｊを用いて構成ａ〜構成ｊと称する。
（引用発明）
ａ　多視点映像ストリームを示すプロファイル情報に基づいて、視点間の依存性をチェックすることにより、多視点映像信号をより効率的に復号することができる多視点映像信号の復号方法であって（［０００４］）、
ａ１　多視点映像ビットストリームからプロファイル識別子を解析するステップと、プロファイル識別子に基づいて視点間参照情報を取得するステップと、視点間参照情報を用いて参照ピクチャリストを初期化するステップと、参照ピクチャリストを修正するステップとを含むものであり、（［００１３］）
ｂ　多視点映像信号を復号する装置は、エントロピー復号ユニット１００、逆量子化ユニット２００、逆変換ユニット３００、イントラ予測ユニット４００、デブロッキングフィルタユニット５００、復号ピクチャバッファユニット６００、インター予測ユニット７００などを含み、（［００６１］［００６２］）
ｂ１　エントロピー復号ユニット１００は、解析されたビットストリームに対してエントロピー復号を行い、各マクロブロックの係数や動きベクトル等を抽出し、逆量子化ユニット２００は、受信した量子化値に所定の定数を乗じて変換した係数値を取得し、逆変換ユニット３００は、その係数値を逆変換して画素値を再構成し、デブロッキングフィルタユニット５００は、ブロックの歪みを減らすために、各符号化マクロブロックに適用され、フィルタは、復号されたフレームの画質を向上させ、フィルタリング処理された画像は、復号ピクチャバッファユニット６００に出力または保存されるものであり、（［００６３］）
ｂ２　復号ピクチャバッファユニット６００は、画面間予測の際に参照される参照ピクチャリストを構築するものであり、（［００６５］）
ｃ　復号ピクチャバッファユニット６００は、参照ピクチャリスト初期化ユニット６１０と、参照ピクチャリスト修正ユニット６２０とを含み、（［００６２］）
ｄ　参照ピクチャリスト修正ユニット６２０は、参照ピクチャリスト−０修正ユニット６２３と、参照ピクチャリスト−１修正ユニット６２５とを含み、（［００８４］）
ｅ　参照ピクチャリスト−０修正ユニット６２３は、参照インデックス修正ユニット６２３Ｂを含み、参照ピクチャリスト−１修正ユニット６２５は、参照インデックス修正ユニット６２５Ｂを含み、（［００８４］）
ｆ　参照ピクチャリスト修正ユニット６２０は、参照されるピクチャにインデックスを割り当てるものであり、参照ピクチャを指定するための参照インデックスがあり、（［００８２］）
g　復号ピクチャバッファユニット６００は、さらに、時間的予測と視点間予測の両方を行うための参照ピクチャリストを構築できるようにしてもよく、（［００６５］）
ｈ　インター予測ユニット７００は、復号ピクチャバッファユニット６００に保存されている参照ピクチャを用いて、画面間予測を行うものであり、エントロピー復号ユニット１００から転送された情報を用いて、現在のブロックの動きを補償するものであり、（［００９９］）
ｉ１　視点間予測フラグ情報に従って、ベースビューのピクチャが非ベースビューの視点間参照ピクチャとして使用される場合、視点間予測のための参照インデックスがベースビューのピクチャに割り当てられ、非ベースビューのピクチャの時間的予測のための参照ピクチャリストに追加され、（［００７７］）
ｉ２　ベースビューのピクチャが、時間的予測のための参照ピクチャリストに追加されるものであり、（［００７７］）
ｊ　参照インデックス修正ユニット６２３Ｂ／６２５Ｂは、参照ピクチャ修正情報を用いて、参照ピクチャの参照インデックスを変更することで、参照ピクチャリストを修正できる、([００８７])
ａ　方法。
（１−２）引用文献３
　また、当審の拒絶の理由において引用された、
Benjamin Bross et al., High efficiency video coding (HEVC) text specification draft 6, Joint Collaborative Team on Video Coding (JCT-VC) of ITU-T SG16 WP3 and ISO/IEC JTC1/SC29/WG11 8th Meeting: San Jose, CA, USA, 1-10 February 2012,Document:JCTVC-H1003(v20), ITU-T, 2012.02.17, p.37,76,79,92-97
（以下、引用文献３という）には以下の記載がある。
（ア）　P.37の7.3.3.2 Reference picture list modification syntaxには参照ピクチャリストの修正シンタックスref_pic_list_modeificationとして、本件図面の図１１Ｄと同じ記載、すなわち、
ref_pic_list_modification( ) {
　if( slice_type = = P | | slice_type = = B ) {
　　ref_pic_list_modification_flag_l0
　　if( ref_pic_list_modification_flag_l0  NumPocTotalCurr  1 )
　　　for( i = 0; i = num_ref_idx_l0_active_minus1; i++ )
　　　　list_entry_l0[ i ]
　}
　if( slice_type = = B ) {
　　ref_pic_list_modification_flag_l1
　　if( ref_pic_list_modification_flag_l1  NumPocTotalCurr  1 )
　　　for( i = 0; i = num_ref_idx_l1_active_minus1; i++ )
　　　　list_entry_l1[ i ]
　}
｝
という記載がある。
（イ）　P.96の8.3.4 Decoding process for reference picture lists constructionにおける8.3.4.2 Initialization process for reference picture listには、参照ピクチャリストRefPicList0やRefPicList１が構築される手順として、(8-9)や(8-11)には、本件図１２Ｂ、図１２Ｄと同様の式、すなわち、
for( cIdx = 0; cIdX ≦ num_ref_idx_l0_active_minus1; cIdx++)
　RefPicList0[ cIdx ] = ref_pic_list_modification_flag_l0 ? RefPicListTemp0[ list_entry_l0[ cIdx ] ] :
RefPicListTemp0[ cIdx ]　　　　　　　　　　　　　　　　　　　(8-9)
for( cIdx = 0; cIdX ≦ num_ref_idx_l1_active_minus1; cIdx++)
　RefPicList0[ cIdx ] = ref_pic_list_modification_flag_l1 ? RefPicListTemp1[ list_entry_l1[ cIdx ] ] :
RefPicListTemp1[ cIdx ]　　　　　　　　　　　　　　　　　　　(8-11)
という記載がある。
　ここで、(8-11)に記載されているのは、RefPicList1を構築するための手順であることから、RefPicList0[ cIdx ]は、RefPicList1[ cIdx ]の誤記であることは明らかである。
（ウ）　P.79の7.4.3.2 Reference picture list modification semanticsにおけるlist_entry_lX[i]のセマンティックスとして、以下の記載がある。
list_entry_lX[i] (with X equal to 0 or 1) specifies the index of the reference picture
The value of list_entry_lX[i] 
in the range of 0 to NumPocTotalCurr - 1, inclusive.
（仮訳：
list_entry_lX[i]（Xは０または１）は
参照ピクチャのインデックスを特定する
list_entry_lX[i]シンタックス要素の長さはCeil( Log2( NumPocTotalCurr) )ビットである。
list_entry_lX[i]の値は０以上NumPocTotalCurr - 1以下の範囲に含まれる
(エ)　P.92以降の8.3.2 Decoding process for reference picture setにおいて、P.92には以下の記載がある。
Five lists of picture order count values are constructed to derive the reference picture set; PocStCurrBefore,PocStCurrAfter, PocStFoll, PocLtCurr, and PocLtFoll with NumPocStCurrBefore, NumPocStCurrAfter, NumPocStFoll,NumPocLtCurr, and NumPocLtFoll number of elements, respectively. 
（仮訳：
参照ピクチャセットを導出するために５つのピクチャオーダカウント（PoC）値のリストが構築される；それらのリストはPocStCurrBefore,PocStCurrAfter, PocStFoll, PocLtCurr, PocLtFollであり、各リストの要素の数はそれぞれNumPocStCurrBefore, NumPocStCurrAfter, NumPocStFoll,NumPocLtCurr, NumPocLtFoll である。）
（オ）さらに、上記（エ）の8.3.2において、P.93の参照ピクチャリストに含まれる変数NumPocTotalCurrと、NumPocStCurrBefore, NumPocStCurrAfter,NumPocLtCurrとの関係を示すものに関して以下の記載がある。
The reference picture set consists of five lists of reference pictures; RefPicSetStCurrBefore, RefPicSetStCurrAfter, RefPicSetStFoll, RefPicSetLtCurr and RefPicSetLtFoll. The variable NumPocTotalCurr is set equal to NumPocStCurrBefore + NumPocStCurrAfter + NumPocLtCurr.
（仮訳：
参照ピクチャセットは５つの参照ピクチャリストを含む；それらはRefPicSetStCurrBefore, RefPicSetStCurrAfter, RefPicSetStFoll, RefPicSetLtCurr and RefPicSetLtFollである。変数NumPocTotalCurrの値はNumPocStCurrBefore + NumPocStCurrAfter + NumPocLtCurrに等しい。）
という記載がある。
（カ）さらに、上記（エ）の8.3.2において、P.93の上記（オ）の記載の後に、以下の記載がある。
NOTE 3 - 
RefPicSetStCurrBefore, RefPicSetStCurrAfter and RefPicSetLtCurr contains all reference pictures that may be used in inter prediction of the current picture and that may be used in inter prediction of one or more of the pictures following the current picture in decoding order.
（仮訳：
注３　−　
RefPicSetStCurrBefore, RefPicSetStCurrAfterとRefPicSetLtCurrは、現在ピクチャのインター予測に用いられうるものであって、復号順序において現在ピクチャの後方にある、１または複数のピクチャのインター予測に用いられうる、すべての参照ピクチャを含む。
（キ）上記（ウ）から、list_entry_lX[i](X=0または1)の値は、０からNumPocTotalCurrより１小さい値のいずれかをとることが、上記（オ）から、変数NumPocTotalCurrの値はNumPocStCurrBefore + NumPocStCurrAfter + NumPocLtCurrに等しいことが、
上記（エ）から、NumPocStCurrBefore, NumPocStCurrAfter, NumPocLtCurrは参照ピクチャセットを導出するためのリストのうちの３つのリストRefPicSetStCurrBefore, RefPicSetStCurrAfter, RefPicSetLtCurrの要素の数であることが、
上記（カ）から、RefPicSetStCurrBefore, RefPicSetStCurrAfter, RefPicSetLtCurrは、現在ピクチャのインター予測に用いられうるものであって、復号順序において現在ピクチャの後方にある、１または複数のピクチャのインター予測に用いられうる、すべての参照ピクチャを含むことが、
それぞれいえる。
（ク）そうすると、引用文献３には、上記（ア）（イ）（ウ）から、以下の（１）の事項が、また、上記（キ）から、以下の（２）の事項が、それぞれ記載されているといえる（以下、引用文献３記載事項（１）（２）という。）。
（引用文献３記載事項）
（１）参照ピクチャリストRefPicList0,RefPicList1を、それぞれの修正後のインデックスを示すリストであって、参照ピクチャのインデックスを特定するlist_entry_l0[i]とリストlist_entry_l1[i]を用いて修正すること。
（２）リストlist_entry_lX[i]（X=0または1）の値は、０からNumPocTotalCurrより１小さい値のいずれかをとることであり、NumPocTotalCurrの値は、参照ピクチャセットを導出するためのリストの要素であって、現在ピクチャのインター予測に用いられうるものであって、復号順序において現在ピクチャの後方にある、１または複数のピクチャのインター予測に用いられうる、すべての参照ピクチャの要素の和である、NumPocStCurrBefore + NumPocStCurrAfter + NumPocLtCurrであること。
（２）対比
　本件発明と引用発明とを対比する。
（ア）　引用発明の構成ａの「多視点映像ストリームを示すプロファイル情報に基づいて、視点間の依存性をチェックすることにより、多視点映像信号をより効率的に復号することができる多視点映像信号の復号方法」について、構成ｂの「多視点映像信号を復号する装置は、エントロピー復号ユニット１００、逆量子化ユニット２００、逆変換ユニット３００、イントラ予測ユニット４００、デブロッキングフィルタユニット５００、復号ピクチャバッファユニット６００、インター予測ユニット７００などを含み」、構成ｂ１の「エントロピー復号ユニット１００は、解析されたビットストリームに対してエントロピー復号を行い、各マクロブロックの係数や動きベクトル等を抽出し、逆量子化ユニット２００は、受信した量子化値に所定の定数を乗じて変換した係数値を取得し、逆変換ユニット３００は、その係数値を逆変換して画素値を再構成」するものである。
　そうすると、構成ａは、各マクロブロックの係数を逆量子化して逆変換して画素値を再構成するものであり、現在のピクチャをマクロブロックというブロック単位に復号を行う方法ということができる。
　したがって、引用発明は本件発明同様に「現ピクチャをブロック毎に復号する画像復号方法」ということができ、本件発明の構成Ａを有するといえる。
（イ）　次に、引用発明の「復号ピクチャバッファユニット６００」が、「参照ピクチャリストを構築する」（構成ｂ２）、「参照ピクチャリストを構築できるようにしてもよ」い（構成ｇ）ことについて検討する。
　構成ｆの「参照インデックス」は、参照ピクチャを指定するために割り当てられたものであるといえるから、本件発明の構成Ｂの「参照ピクチャインデックス」に相当する。
　構成ｂ２，ｇの「参照ピクチャリスト」は、復号装置で「画面間予測の際に参照される」（構成ｂ２）ものであって、画面間予測を用いる符号化や復号において「時間的予測及び視点間予測の両方を行うため」のものであり（構成ｇ）、参照ピクチャを指定する参照ピクチャインデックスを含むリストであるから、本件発明の構成Ｂの「参照ピクチャリスト」に相当するといえる。
　また、構成ｆの「参照ピクチャを指定するための参照インデックス」は、画面間予測を用いる符号化や復号において「参照されるピクチャを指定する」ために割り当てられるものであるから、構成ｆの「参照されるピクチャにインデックスを割り当てる」とは、画面間予測を用いる符号化や復号において参照ピクチャを指定するために参照インデックスを割り当てるといえる。
　そうすると、構成ｂ２の「参照ピクチャリストを構築する」、構成ｇの「参照ピクチャリストを構築できるようにしてもよ」いことは、ピクチャの復号において参照可能な参照ピクチャに参照ピクチャインデックスを割り当てて、参照ピクチャインデックスが割り当てられた参照ピクチャを含む参照ピクチャリストを生成することであるといえる。
　したがって、引用発明は本件発明の構成Ｂに相当する構成を有する。
（ウ）　次に、引用発明の「復号ピクチャバッファユニット６００に保存されている参照ピクチャを用いて、画面間予測を行うものであり」「現在のブロックの動きを補償する」（構成ｈ）ことについて検討する。
　構成ｈの「画面間予測を行うものであり」「動きを補償する」ことは、ピクチャの復号処理のステップの一つであって、「復号ピクチャバッファユニット６００は、画面間予測の際に参照される参照ピクチャリストを構築する」（構成ｂ２、構成ｇ）ことと合わせると、構成ｈの「復号ピクチャバッファユニット６００に保存されている参照ピクチャ」は、参照ピクチャリストから特定されるものであって、画面間予測を実行するために用いられるものであるといえる。
　そうすると、構成ｈの「復号ピクチャバッファユニット６００に保存されている参照ピクチャを用いて、画面間予測を行うものであり」「現在のブロックの動きを補償する」ことは、現ピクチャに含まれる現ブロックの復号において参照される参照ピクチャを参照ピクチャリストから特定し、特定された参照ピクチャを参照して、現ブロックを復号することであるといえる。
　したがって、引用発明は本件発明の構成Ｃに相当する構成を有する。
（エ）　次に、引用発明において、「視点間予測フラグ情報に従って、ベースビューのピクチャが非ベースビューの視点間参照ピクチャとして使用される場合、視点間予測のための参照インデックスがベースビューのピクチャに割り当てられ、非ベースビューのピクチャの時間的予測のための参照ピクチャリストに追加され」（構成ｉ１）および「ベースビューのピクチャが、時間的予測のための参照ピクチャリストに追加される」（構成ｉ２）ことについて検討する。
　構成ｉ１の「ベースビューのピクチャが非ベースビューの視点間参照ピクチャとして使用される」ことは、復号する方法において、復号するピクチャ（現ピクチャ）が非ベースビューに属する場合、これとは異なるビューであるベースピクチャに属する参照ピクチャが非ベースビューのピクチャの復号において参照されるということであり、「現ピクチャが属する現レイヤとは異なる参照レイヤに属する参照ピクチャが現ピクチャの復号において参照される可能性がある」ことに含まれるといえる。
　また、構成ｉ１の「視点間予測のための参照インデックスがベースビューのピクチャに割り当てられ、非ベースビューの時間的予測のための参照ピクチャリストに追加され」ることと、構成ｉ２の「ベースビューのピクチャが、時間的予測のための参照ピクチャリストに追加される」ことについて、視点間予測のための参照ピクチャリストと時間的予測のための参照ピクチャリストは、構成ｇの「時間的予測及び視点間予測の両方を行うための参照ピクチャリスト」、すなわち１つの参照ピクチャリストとして構成できることを踏まえると、「（１）前記現レイヤに属する参照ピクチャと、（２）前記参照レイヤに属する参照ピクチャとを前記参照ピクチャリストに追加」することといえる。
　したがって、引用発明は本件発明の構成Ｂ１に相当する構成を有する。
（オ）　さらに、引用発明において、「参照インデックス修正ユニット６２３Ｂ／６２５Ｂは、参照ピクチャ修正情報を用いて参照ピクチャの参照インデックスを変更することで、参照ピクチャリストを修正する」（構成ｊ）ことについて検討する。
　引用発明の構成ｊは、本件発明の構成Ｂ２と「参照ピクチャリストにおける参照ピクチャインデックスを修正する」点で共通している。
　以上の（ア）〜（オ）の対比に基づいて、本件発明と、引用発明とを比較すると、両者の一致点、相違点は、以下のとおりである。
［一致点］
Ａ　現ピクチャをブロック毎に復号する画像復号方法であって、
Ｂ　前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、
Ｃ　前記現ピクチャに含まれる現ブロックの復号において参照される参照ピクチャを前記参照ピクチャリストから特定し、特定された前記参照ピクチャを参照して、前記現ブロックを復号する復号ステップとを含み、
Ｂ　前記生成ステップでは、
Ｂ１　前記現ピクチャが属する現レイヤとは異なる参照レイヤに属する参照ピクチャが前記現ピクチャの符号化において参照される可能性がある場合、（１）前記現レイヤに属する参照ピクチャと、（２）前記参照レイヤに属する参照ピクチャとを前記参照ピクチャリストに追加し、
Ｂ２’　前記参照ピクチャリストにおける前記参照ピクチャインデックスを修正する、
Ａ　画像復号方法。
［相違点１］
　参照ピクチャリストにおける参照ピクチャインデックスを修正する方法として、本件発明は、前記参照ピクチャリストにおける前記参照ピクチャインデックスそれぞれの修正後のインデックスを示す修正リストを用いるのに対して、引用発明はそのようなものではない点。
［相違点２］
　本件発明は、修正リストに含まれる修正後のインデックスは、現ピクチャの復号において参照可能な参照ピクチャの数であって、現レイヤに属する参照ピクチャの数と参照レイヤに属する参照ピクチャの数の和より１少ない値以下の値であるのに対して、引用発明は修正後のインデックスのとる値については不明な点。
（３）判断
　上記相違点１、２についてまとめて検討する。
（ア）　引用発明は、参照ピクチャ修正情報を用いて、参照ピクチャの参照インデックスを変更することで、参照ピクチャリストを修正するものであるところ、参照ピクチャ修正情報の具体的構成は特定されていないものである。
　一方、引用文献３記載事項（１）（２）は、修正後のインデックスを示すリストであって、参照ピクチャのインデックスを特定するリストを用いて参照ピクチャリストを修正することから、特定された参照ピクチャのインデックスを変更して参照ピクチャリストを修正するものといえる。
　そうすると、両者は参照ピクチャのインデックスを変更して参照ピクチャリストを修正するという点で共通の事項を有するといえる。
　そして、引用発明の参照インデックス修正ユニット６２３Ｂ／６２５Ｂにおける参照ピクチャ修正情報の具体的構成として、引用文献３記載事項（１）（２）における、修正後のインデックスを示すリストlist_entry_l0[i]とlist_entry_l1[i]を採用することは、当業者が何らの困難なく想到し得たものである。
（イ）　ここで、引用発明は時間的予測及び視点間予測の両方を行うための参照ピクチャリストを具備する（すなわち、現レイヤに属する参照ピクチャと参照レイヤに属する参照ピクチャを１つの参照ピクチャリストで管理する）以上、引用発明に引用文献３記載事項（１）（２）を適用する場合において、引用文献３記載事項における、修正リストlist_entry_lX[i]（X=0または1）における、NumPocTotalCurr（現在ピクチャのインター予測に用いられうるものであり、復号順序において現在ピクチャの後方にある、１または複数のピクチャのインター予測に用いられうる、すべての参照ピクチャの要素の和）、すなわち、参照リスト内に含まれる参照ピクチャの総数、を、時間的予測を行うために用いられる現レイヤに属する参照ピクチャと視点間予想を行うために用いられる参照レイヤに属する参照ピクチャの両者の和になるように構成することは、上記の適用に付随して当業者がなすべき変更にすぎない。
　このとき、修正リストに含まれる修正後のインデックスがとる値は、０からNumPocTotalCurr-1の範囲の値であるが、これは、０から現レイヤに属する参照ピクチャの数と参照レイヤに属する参照ピクチャの数の和より１少ない値以下の値となる。
（ウ）　よって、引用発明において、引用文献３記載事項を適用するにあたり、修正リストに含まれる修正後のインデックスを、０から現レイヤに属する参照ピクチャの数と参照レイヤに属する参照ピクチャの数の和より１少ない値以下の値として、相違点１，２に関する構成をとることは、当業者が容易に想到し得たものである。
（４）まとめ
　したがって、本件発明は、引用発明および引用文献３記載事項に基づいて、当業者が容易に発明をすることができたものであるから、特許法第２９条第２項の規定により、特許を受けることができない。
第４　むすび
　以上のとおり、本件発明は、引用発明および引用文献３記載事項に基づいて当業者が容易に発明をすることができたものであり、特許法第２９条第２項の規定により特許を受けることができない。
　したがって、本願は、その余の請求項について検討するまでもなく、拒絶をすべきものである。
　よって、結論のとおり審決する。